(57)【特許請求の範囲】
【請求項１】
長手方向に延設され複数本のケーブルを収容可能なよう略樋状に形成されたトラフ本体と、略平板状に形成され前記トラフ本体上に載置されるトラフ蓋体とによって構成されるトラフの容積を拡張するために、前記トラフ本体と前記トラフ蓋体との間に配設されるトラフ嵩上板であって、
前記トラフ嵩上板は、所定の高さを有し長手方向に延設された樹脂製の板状部材によって形成され、
前記トラフ嵩上板の下端部には前記トラフ本体のトラフ側板に嵌入するよう長手方向に形成された溝部を備え、
前記トラフ嵩上板の長手方向の一端面には凹部が形成されるとともに、長手方向の他端面には前記凹部に嵌入可能な嵌入凸部が形成され、
複数の前記トラフ嵩上板を長手方向にスライド移動させ、一のトラフ嵩上板の前記嵌入凸部と、他のトラフ嵩上板の前記凹部を順次接続することで、複数の前記トラフ嵩上板を連接させる、
トラフ嵩上板。
【請求項２】
前記溝部の幅は、前記トラフ側板の厚さと略同等に設定される、
請求項１に記載のトラフ嵩上板。
【請求項３】
前記トラフ嵩上板の上端面には、一端部に前記トラフ蓋体の端部が係合する係合段部が形成されるとともに、他端部に上方に突出する突片が形成される、
請求項１又は２に記載のトラフ嵩上板。
【請求項４】
前記トラフ嵩上板の上端部には、前記溝部が嵌入可能な凸条部が形成される、
請求項１又は２に記載のトラフ嵩上板。
【請求項５】
前記トラフ嵩上板には、貫通孔が形成される、
請求項１〜４のいずれかに記載のトラフ嵩上板。
【発明の詳細な説明】
【技術分野】
【０００１】
第１の特徴に係る発明におけるトラフ嵩上板は、長手方向に延設され複数本のケーブルを収容可能なよう略樋状に形成されたトラフ本体と、略平板状に形成されトラフ本体上に載置されるトラフ蓋体とによって構成されるトラフの容積を拡張するために、トラフ本体とトラフ蓋体との間に配設されるトラフ嵩上板であって、トラフ嵩上板は、所定の高さを有し長手方向に延設された樹脂製の板状部材によって形成され、トラフ嵩上板の下端部にはトラフ本体のトラフ側板に嵌入するよう長手方向に形成された溝部を備え、トラフ嵩上板の長手方向の一端面には凹部が形成されるとともに、長手方向の他端面には凹部に嵌入可能な嵌入凸部が形成され、複数の前記トラフ嵩上板を長手方向にスライド移動させ、一のトラフ嵩上板の前記嵌入凸部と、他のトラフ嵩上板の前記凹部を順次接続することで、複数の前記トラフ嵩上板を連接させる。
【背景技術】
【０００２】
従来、鉄道の線路際には信号やデータを伝送するための複数本のケーブルが駅間を結ぶように敷設されており、それらケーブルをコンクリート製のトラフと呼ばれる樋状の部材に蓋を組み合わせたものの中に収容することで、ケーブルの保護を図っている。
【０００３】
ところで、近年、設備の老朽化による交換の需要や新たなシステム構築、さらには情報伝達手段の多様化やデータ量の増加に伴い新設するケーブルが年々増加しており、既設のトラフに収容しきれない場合がある。
【０００４】
既設のトラフでケーブルを収容しきれない場合には、トラフを撤去してサイズの大きなトラフに交換することで収容量を増加させる必要がある。しかしながら、場所によってはサイズの大きなトラフの設置が困難な場合や、交換のために既設ケーブルを仮置きして防護するためのスペースも確保できない場合がある。また、トラフ自体はコンクリートで製作されているため重量が大きく、撤去するトラフの持ち出しや新設のトラフの搬入には多大な労力を必要とする。特に、労働人口が減少傾向にある我が国においては、このような肉体労働のための人員を確保することは容易ではない。
【０００５】
そこで、既設トラフの容量を増加させることで、トラフを交換することなくケーブルの収容量を増加させるための技術が開発されている。例えば、特許文献１や特許文献２に示すように、嵩上のための側板を使用するものが提案されている（特許文献１、特許文献２）。
【先行技術文献】
【特許文献】
【０００６】
【特許文献１】特開２０１６−１２９９８号公報
【特許文献２】特開平１０−８４０５号公報
【発明の概要】
【発明が解決しようとする課題】
【０００７】
しかしながら、特許文献１や特許文献２に記載されるような手段では、嵩上げのための側板を固定するために金属製の固定部材やＨ型鋼を用いているため、部品点数が多くなり、嵩上げのための作業や部品の管理が煩雑になる。しかも、側板を固定する部材は金属でできているため重量が大きく、結果的に作業者の負担の軽減にはつながらないなどの問題があった。
【０００８】
本発明は、このような問題を解決するためになされたものであり、部品点数が少なく容易に施工可能であるとともに、軽量でありながらも強度を確保しつつ、トラフの容量を増加させることが可能なトラフ嵩上板を提供することを目的とする。
【課題を解決するための手段】
【０００９】
本発明では、以下のような解決手段を提供する。
【００１０】
第１の特徴に係る発明におけるトラフ嵩上板は、長手方向に延設され複数本のケーブルを収容可能なよう略樋状に形成されたトラフ本体と、略平板状に形成されトラフ本体上に載置されるトラフ蓋体とによって構成されるトラフの容積を拡張するために、トラフ本体とトラフ蓋体との間に配設されるトラフ嵩上板であって、トラフ嵩上板は、所定の高さを有し長手方向に延設された樹脂製の板状部材によって形成され、トラフ嵩上板の下端部にはトラフ本体のトラフ側板に嵌入するよう長手方向に形成された溝部を備え、トラフ嵩上板の長手方向の一端面には凹部が形成されるとともに、長手方向の他端面には凹部に嵌入可能な嵌入凸部が形成される。
【００１１】
第１の特徴に係る発明によれば、樹脂で形成されたトラフ嵩上板を使用することで、軽量の部材を用いてトラフの嵩上げを行うことができる。しかも、樹脂製であることを活かし、下端に形成された溝部をトラフ側板に嵌め込むだけでトラフ本体と接続することができるため、取り付けのための別の部材が必要なく、作業も容易である。さらに、長手方向の両端面に形成された凹部と嵌入凸部を用いて嵩上板同士を連続して接続することができるため、樹脂製でありながらも頑丈な嵩上げ部材を形成することができる。
【００１２】
第２の特徴に係る発明は、第１の特徴に係る発明であって、溝部の幅は、トラフ側板の厚さと略同等に設定される。
【００１３】
第２の特徴に係る発明によれば、溝部の幅がトラフ側板の厚さと略同等に設定されるため、トラフ側板にトラフ嵩上板を隙間なく嵌め込むことができる。その結果、樹脂製でありながら強度の高い嵩上げ構造とすることができる。
【００１４】
第３の特徴に係る発明は、第１又は第２の特徴に係る発明であって、トラフ嵩上板の上端面には、一端部にトラフ蓋体の端部が係合する係合段部が形成されるとともに、他端部に上方に突出する突片が形成される。
【００１５】
第３の特徴に係る発明によれば、トラフ蓋体を安定してずれることなくトラフ嵩上板に載置することができる。
【００１６】
第４の特徴に係る発明は、第１又は第２の特徴に係る発明であって、トラフ嵩上板の上端部には、前記溝部が嵌入可能な凸条部が形成される。
【００１７】
第４の特徴に係る発明によれば、同一の形状を有するトラフ嵩上板を高さ方向にも複数積み上げることができ、収容すべきケーブルの量に応じて、トラフの収容量を増加させることが可能な嵩上げ部材を提供することができる。
【００１８】
第５の特徴に係る発明は、トラフ嵩上板には、貫通孔が形成される。
【００１９】
第５の特徴に係る発明によれば、トラフ嵩上板に貫通孔が形成されるため、より軽量な部材で嵩上げ構造を構築できるとともに、ケーブルから発せられた熱を外部に逃がすことができる。
【発明の効果】
【００２０】
本発明によれば、部品点数が少なく容易に施工可能であるとともに、軽量でありながらも強度を確保しつつ、トラフの容量を増加させることが可能なトラフ嵩上板を提供できる。
【図面の簡単な説明】
【００２１】
【図１】図１は、嵩上げ対象となるトラフの一例を示す斜視図である。
【図２】図２は、実施形態１に係るトラフ嵩上板の全体構成を示す斜視図である。
【図３】図３は、トラフに実施形態１に係るトラフ嵩上板を組み合わせた状態の模式図である。（ａ）は斜視図を、（ｂ）は正面図を、（ｃ）は側面図を示す。
【図４】図４は、実施形態２に係るトラフ嵩上板の全体構成を示す斜視図である。（ａ）は斜視図を、（ｂ）は正面図を示す。
【発明を実施するための形態】
【００２２】
以下、本発明を実施するための形態について図を参照しながら説明する。なお、これはあくまでも一例であって、本発明の技術的範囲はこれに限られるものではない。
【００２３】
［トラフ１０の構成］
図１を用いて、本願発明の適用対象となるトラフ１０について説明する。トラフ１０は、樋状に形成されたトラフ本体１１と、トラフ本体１１を覆うトラフ蓋体１２とによって構成される。
【００２４】
トラフ本体１１は樋状に形成された長手方向に延設する部材によって構成されており、底面を確定するトラフ底板１１ａと、トラフ底板１１ａの両端部から立ち上がる一対のトラフ側板１１ｂとを有する。トラフ側板１１ｂは所定の厚みＷを有するものとする。
【００２５】
トラフ蓋体１２は略平板状に形成された長手方向に延設する部材によって構成されており、下面にはトラフ側板１１ｂ及び後述するトラフ嵩上板２０に係合可能なように、両端が上方に持ち上がった蓋体段部１２ａが形成されている。蓋体段部１２ａの幅は、トラフ側板１１ｂの厚みＷと同程度に設定される。
【００２６】
トラフ本体１１及びトラフ蓋体１２は、いずれも、コンクリートによって構成されており、トラフ底板１１ａと一対のトラフ側板１１ｂとによって画定される領域にケーブルを収容した状態で、トラフ蓋体１２の蓋体段部１２ａをトラフ側板１１ｂに係合するよう載置することで、ケーブルを敷設することができる。このとき、蓋体段部１２ａの幅がトラフ側板１１ｂの厚みＷと同程度に設定されているため、トラフ蓋体１２をトラフ本体１１に載置した際に、トラフ蓋体１２がずれることなく、安定して設置することができる。
【００２７】
＜実施形態１＞
次に、図２を用いて、実施形態１に係るトラフ嵩上板２０について説明する。トラフ嵩上板２０は、トラフ本体１１のトラフ側板１１ｂに嵌め込まれて設置されるものであり、トラフ側板１１ｂが配設される方向と同じく長手方向に延設され所定の高さを有する樹脂製の板状部材によって構成される。トラフ嵩上板２０は単独で使用されるものではなく、一対のトラフ側板１１ｂ、１１ｂに嵌め込まれた複数のトラフ嵩上板２０が協働して機能するものである。
【００２８】
トラフ１０の容量を増加させるためには、図３（ａ）及び（ｃ）に示すように、長手方向に連接された複数のトラフ本体１１、１１、１１・・・に対し、両端のトラフ側板１１ｂに本実施形態に係るトラフ嵩上板２０を設置していく。つまり、図３（ｂ）に示すように、下端に設けられた溝部２１をトラフ側板１１ｂに嵌め込む作業を、複数のトラフ嵩上板２０について行う。このとき、溝部２１の幅は、トラフ側板１１ｂの厚みＷと同程度あるいはやや大きく設定されるため、トラフ嵩上板２０をトラフ本体１１に対して安定して設置することができる。
【００２９】
トラフ嵩上板２０の上端面には、トラフ蓋体１２の端部をトラフ嵩上板２０に係合させるための係合段部２２が形成されている。すなわち、トラフ蓋体１２の端部に形成された蓋体段部１２ａが、トラフ嵩上板２０の係合段部２２に係合することにより、トラフ蓋体１２がずれることなくトラフ嵩上板２０に載置される。係合段部２２は、トラフ嵩上板２０上端面の幅方向一端部に形成される。
【００３０】
また、トラフ嵩上板２０の上端面における幅方向他端部には、トラフ蓋体１２の抜け止めのために、上方に突出した突片２３が設けられている。これによって、トラフ嵩上板２０にトラフ蓋体１２を載置した際に外方にずれて外れてしまうことを防止することができる。
【００３１】
さらに、トラフ嵩上板２０の長手方向端面には、一端面に嵌入凸部２４が、他端面に嵌入凸部２４に係合する凹部２５が形成されている。一のトラフ嵩上板の嵌入凸部２４を他のトラフ嵩上板の凹部２５に陥入させることにより、二以上の嵩上板２０を並べて設置することができる。
【００３２】
つまり、一端部に嵌入凸部２４を、他端部に凹部２５を設けたことにより、長手方向に複数配設されたトラフ本体１１に対し、本実施形態に係る嵩上板２０を設置する際、長手方向にトラフ嵩上板２０を連接して配設することができる。
【００３３】
なお、嵌入凸部２４は略柱状の形状を呈し、凹部２５は嵌入凸部２４を嵌入させることができる程度の形状および大きさであることが好ましい。このようにすることで、前後に接続したトラフ嵩上板２０同士が上下方向にずれることを防止することができる。
【００３４】
また、トラフ嵩上板２０には貫通孔２６が形成されており、部材の軽量化に資するとともに、付設されたケーブルから発せられた熱をトラフ１０の外方に逃がすことができる。さらに、貫通孔２６を形成することにより、作業の際に手でつかむことが容易となり、作業性が向上する。
【００３５】
なお、本実施形態に係るトラフ嵩上板２０は樹脂によって形成されるものであり、射出成型や、ブロー成型、押出成型あるいは切削等の手段によって製造される。
【００３６】
また、図２に示すように、実施形態１に係るトラフ嵩上板２０は、左右対称の形状を有する一対のものが用いられるが、同一形状のものを用いてもよい。同一形状のものを用いた場合、長手方向に接続する際に、一方のトラフ側板１１ｂに設置されるトラフ嵩上板２０の向きと、他方のトラフ側板１１ｂに設置されるトラフ嵩上板２０の向きを１８０度変えればよい。
【００３７】
このようにして形成されたトラフ嵩上板２０を用いてトラフ１０の容量を増加させるための作業について、図３（ａ）〜（ｃ）を用いて説明する。図３（ａ）は斜視図を、図３（ｂ）は正面図を、図３（ｃ）は側面図を示す。
【００３８】
トラフ１０の容量を増加させるためには、図３（ａ）及び（ｃ）に示すように、長手方向に連接された複数のトラフ本体１１、１１、１１・・・に対し、両端のトラフ側板１１ｂに本実施形態に係るトラフ嵩上板２０を設置していく。つまり、図３（ｂ）に示すように、下端に設けられた溝部２１をトラフ側板１１ｂに嵌め込む作業を、複数のトラフ嵩上板２０について行う。このとき、溝部２１の幅は、トラフ側板１１ｂの厚みＷと同程度あるいはやや小さく設定されるため、トラフ嵩上板２０をトラフ本体１１に対して安定して設置することができる。
【００３９】
そして、複数のトラフ嵩上板２０を長手方向にスライド移動させ、一のトラフ嵩上板２０の嵌入凸部２４と、他のトラフ嵩上板２０の凹部２５を順次接続することで、複数のトラフ嵩上板２０を連接させる。このような複数のトラフ嵩上板２０の連接を、両トラフ側板１１ｂに嵌め込まれるトラフ嵩上板２０について行うことにより、トラフ嵩上板２０による嵩上げを完了する。このようにして、本実施形態に係るトラフ嵩上板２０を用いて嵩上げされたトラフ本体１１に対し、トラフ蓋体１２を載置することで、多量のケーブルを収容することが可能なトラフ１０を形成することができる。
【００４０】
なお、トラフ側板１１ｂに嵌め込む前に複数のトラフ嵩上板２０同士を長手方向に接続し、複数接続されたトラフ嵩上板２０をトラフ側板１１ｂに設置するようにしてもよい。
【００４１】
このように、樹脂で形成されたトラフ嵩上板２０を使用することで、軽量の部材を用いてトラフ１０の嵩上げを行うことができる。しかも、樹脂製であることを活かし、下端に形成された溝部をトラフ側板に嵌め込むだけでトラフ本体と接続することができるため、取り付けのための別の部材が必要なく、作業も容易である。さらに、前後に形成された凹部と嵌入凸部を用いて嵩上板同士を連続して接続することができるため、樹脂製でありながらも頑丈な嵩上げ部材を形成することができる。
【００４２】
＜実施形態２＞
次に、図４（ａ）及び（ｂ）を用いて、実施形態２に係るトラフ嵩上板３０について説明する。図４（ａ）は斜視図を、図４（ｂ）は正面図を示す。
【００４３】
図４（ａ）に示すように、実施形態２に係るトラフ嵩上板３０においては、トラフ嵩上板３０の下端には、トラフ側板１１ｂの厚みＷと同程度、あるいは、やや大きく設定された幅の溝部３１が設けられているとともに、上端には、他のトラフ嵩上板３０の溝部３１を係合させるための凸条部３２が長手方向にわたって形成されている。凸条部３２の幅は、溝部３１の幅と同程度、あるいは、やや大きく設定される。
【００４４】
その他、樹脂で形成される点や、前後に嵌入凸部と凹部が形成される点については、実施形態１と同様である。
【００４５】
このようにすることで、図４（ｂ）に示すように、位置のトラフ嵩上板３０の凸条部３２を他のトラフ嵩上板３０の溝部３１に嵌入することができ、同一の形状を有するトラフ嵩上板３０を高さ方向にも複数積み上げることができるため、収容すべきケーブルの量に応じて、トラフの収容量を増加させることができる。
【００４６】
なお、凸条部３２の幅はトラフ側板１１ｂの厚みＷと同程度、あるいは、やや大きく設定されることから、トラフ蓋体１２は最上段のトラフ嵩上板３０の上に載置することができる。その場合、トラフ蓋体１２の下面に形成された蓋体段部１２ａが、凸条部３２に嵌まることになる。あるいは、最上段については、実施形態１のトラフ嵩上板２０を使用することもできる。つまり、最上段以外の段においては実施形態２に係るトラフ嵩上板３０を積み上げて高さを増加するとともに、最上段においては、実施形態１に係るトラフ嵩上板２０を配設することによって、トラフ嵩上板２０に設けられた突片２３の作用によってトラフ蓋板１２が外れることを防止して安定して設置することができる。
【００４７】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００４８】
１０        トラフ
１１      トラフ本体
１１ａ  トラフ底板
１１ｂ  トラフ側板
１２      トラフ蓋体
１２ａ  蓋体段部
２０        トラフ嵩上板
２１      溝部
２２      係合段部
２３      突片
２４      嵌入凸部
２５      凹部
２６      貫通孔
３０        トラフ嵩上板
３１      溝部
３２      凸条部
【要約】
【課題】部品点数が少なく容易に施工可能であるとともに、軽量でありながらも強度を確保しつつ、トラフの容量を増加させることが可能なトラフ嵩上板を提供する。
【解決手段】本発明のトラフ嵩上板は、長手方向に延設され複数本のケーブルを収容可能なよう略樋状に形成されたトラフ本体と、略平板状に形成されトラフ本体上に載置されるトラフ蓋体とによって構成されるトラフの容積を拡張するために、トラフ本体とトラフ蓋体との間に配設されるトラフ嵩上板であって、トラフ嵩上板は、所定の高さを有し長手方向に延設された樹脂製の板状部材によって形成され、トラフ嵩上板の下端部にはトラフ本体のトラフ側板に嵌入するよう長手方向に形成された溝部を備え、トラフ嵩上板の長手方向の一端面には凹部が形成されるとともに、長手方向の他端面には凹部に嵌入可能な嵌入凸部が形成される。
【選択図】図２【図１】
0006818333.tif 000002
【図２】
0006818333.tif 000003
【図３】
0006818333.tif 000004
【図４】
0006818333.tif 000005